(57)【要約】【課題】簡単な構成で直流短絡異常が起きたことを高速で検出してスイッチング素子をオフすることにより、異常事故の拡大を阻止できる電力変換装置を提供する。【解決手段】直流電圧の正極,負極間の直流電流経路に配置されたスイッチング素子１０と、そのスイッチング素子１０によりオンオフされる直流電流経路に配置されたリアクトルＬ１と、リアクトルＬ１に並列に接続されたリアクトル用環流ダイオードＤ１と、スイッチング素子１０のオンオフを制御する制御部と、リアクトル用環流ダイオードＤ１に印加される逆電圧に基づいて、直流電圧の正極,負極間が短絡した直流短絡異常か否かを判定する直流短絡異常判定部とを備える。上記制御部は、直流短絡異常判定部が直流短絡異常と判定すると、電力変換部１のスイッチング素子１０をオフにする。【選択図】図１
2009011117.tif 000002
【特許請求の範囲】
【請求項１】
直流電圧の正極,負極間の直流電流経路に配置され、上記直流電流経路をオンオフするスイッチング素子と、
上記スイッチング素子によりオンオフされる上記直流電流経路に配置されたリアクトルと、
上記リアクトルに並列に接続されるか、または、上記リアクトルの両端に抵抗を介して接続されたリアクトル用環流ダイオードと、
上記スイッチング素子のオンオフを制御する制御部と、
上記リアクトル用環流ダイオードに印加される逆電圧に基づいて、上記直流電圧の正極,負極間が短絡した直流短絡異常か否かを判定する直流短絡異常判定部と
を備え、
上記制御部は、上記直流短絡異常判定部が上記直流短絡異常と判定すると、上記スイッチング素子をオフにすることを特徴とする電力変換装置。
【請求項２】
請求項１に記載された電力変換装置において、
上記リアクトルと上記リアクトル用環流ダイオードは、上記スイッチング素子により電力変換を行う電力変換部に接続される上記直流電流経路に設けられた限流装置として用いられ、
上記リアクトル用環流ダイオードに逆電圧が印加される期間が所定値を越えたとき、上記直流短絡異常判定部が上記直流短絡異常と判定することを特徴とする電力変換装置。
【請求項３】
請求項１に記載された電力変換装置において、
上記リアクトルと上記リアクトル用環流ダイオードは、直列スナバ回路として用いられ、
上記リアクトル用環流ダイオードに逆電圧が印加される期間が所定値を越えたとき、上記直流短絡異常判定部が上記直流短絡異常と判定することを特徴とする電力変換装置。
【請求項４】
請求項１に記載された電力変換装置において、
上記リアクトルと上記リアクトル用環流ダイオードは、直列スナバ回路として用いられ、
上記制御部により上記スイッチング素子をオンさせる期間以外の期間において上記リアクトル用環流ダイオードに逆電圧が印加されたとき、上記直流短絡異常判定部が上記直流短絡異常と判定することを特徴とする電力変換装置。
【請求項５】
請求項１乃至４のいずれか１つに記載の電力変換装置において、
上記スイッチング素子は、少なくともＳiＣ,ＧaＮまたはダイヤモンドのうちのいずれか１つのワイドギャップ半導体を母材とするゲートターンオフサイリスタであることを特徴とする電力変換装置。
【請求項６】
請求項１に記載の電力変換装置において、
上記リアクトルと上記リアクトル用環流ダイオードは、上記スイッチング素子により電力変換を行う電力変換部に直列スナバ回路として組み込まれていることを特徴とする電力変換装置。
【請求項７】
請求項１乃至６のいずれか１つに記載の電力変換装置において、
複数の抵抗が直列に接続された抵抗分圧回路を備え、
上記抵抗分圧回路が上記リアクトル用環流ダイオードの両端に並列に接続され、
上記リアクトル用環流ダイオードに印加された逆電圧を上記抵抗分圧回路により分圧し、上記抵抗分圧回路により分圧された上記リアクトル用環流ダイオードに印加された逆電圧に相当する電圧に基づいて、上記直流短絡異常判定部は、上記直流短絡異常か否か判定することを特徴とする電力変換装置。
【請求項８】
請求項１乃至６のいずれか１つに記載の電力変換装置において、
複数のコンデンサが直列に接続されたコンデンサ分圧回路を備え、
上記コンデンサ分圧回路が上記リアクトル用環流ダイオードの両端に並列に接続され、
上記リアクトル用環流ダイオードに印加された逆電圧を上記コンデンサ分圧回路により分圧し、上記コンデンサ分圧回路により分圧された上記リアクトル用環流ダイオードに印加された逆電圧に相当する電圧に基づいて、上記直流短絡異常判定部は、上記直流短絡異常か否か判定することを特徴とする電力変換装置。
【請求項９】
請求項１乃至６のいずれか１つに記載の電力変換装置において、
抵抗とホトカプラのホトダイオード部が直列に接続された逆電圧検出回路を備え、
上記逆電圧検出回路の直列に接続された上記抵抗と上記ホトダイオード部が、上記ホトダイオード部が上記リアクトル用環流ダイオードと逆方向になるように、上記リアクトル用環流ダイオードの両端に並列に接続され、
上記リアクトル用環流ダイオードに印加された逆電圧を上記逆電圧検出回路により検出し、上記逆電圧検出回路により検出された上記リアクトル用環流ダイオードに印加された逆電圧に相当する信号に基づいて、上記直流短絡異常判定部は、上記直流短絡異常か否かを判定することを特徴とする電力変換装置。
【発明の詳細な説明】
【技術分野】
【０００１】
この発明は、電力変換装置に関し、詳しくは、半導体スイッチング素子を用いて直流電圧を交流電圧に変換するかまたは交流電圧を直流電圧に変換する電力変換装置の直流短絡電流異常の検出方式に関する。
【背景技術】
【０００２】
従来、電力変換装置としては、ＧＴＯ(Gate Turn-off Thyristor；ゲート・ターンオフ・サイリスタ)を用いて、直流電圧を交流電圧に変換するインバータ装置がある(例えば、特開平８−１１１９３０号公報(特許文献１)参照)。
【０００３】
このようなインバータ装置の構成の一例として、図６に示す構成のものがある。このインバータは、図６に示すように、平滑コンデンサCの両端の直流電圧を三相交流電圧に変換する。自励式半導体素子としてのＧＴＯには、電流上昇率の耐量があり、臨界上昇率以上の電流上昇率がＧＴＯにかかると、ＧＴＯが破壊するため、アノードリアクトルLU,LV,LW,LX,LY,LZを用いた直列スナバ回路により電流上昇率を抑制している。
【０００４】
上記アノードリアクトルLU,LV,LW,LX,LY,LZを設置した回路では、ＧＴＯGU,GV,GW,GX,GY,GZがターンオフするときやフリーホイールダイオードDU,DV,DW,DX,DY,DZの逆回復時等に電流が急速に減少すると、アノードリアクトルLU,LV,LW,LX,LY,LZに流れていた電流も急速に減少する。このため、ＧＴＯGU,GV,GW,GX,GY,GZに過電圧が印加される。その過電圧を防止するために、環流ダイオードDSU,DSV,DSW,DSX,DSY,DSZと環流抵抗RSU,RSV,RSW,RSX,RSY,RSZの直列体をそれぞれアノードリアクトルLU,LV,LW,LX,LY,LZに並列に接続している。
【０００５】
図６におけるIU,IV,IWは各相のアーム電流を計測する電流検出器である。過電流判定部は、電流検出器IU,IV,IWの出力に基づいて異常を判定する部分であり、直流短絡を判定する。図６において、FU,FV,FWおよびFX,FY,FZはそれぞれ各相の上下アームのヒューズであり、IL１,IL２,IL３は負荷側電流検出器である。
【０００６】
図６の各ＧＴＯGU,GV,GW,GX,GY,GZは、ゲート回路(図示せず)からのＰＷＭ(パルス幅変調)信号に従い、オンオフを繰り返す。例えば、
経路(＋)→FU→LU→GU→負荷→GZ→LZ→FZ→(−)
で電流が流れていた状態から、ＧＴＯGUがターンオフすると、電流は、
FX→LX→DX→負荷→GZ→LZ→FZ→FX
の経路で流れる。次に、ＧＴＯGUがターンオンすると、フリーホイールダイオードDXに流れていた電流は減少する。そのとき、上アームのＧＴＯGUおよび下アームのフリーホイールダイオードDXが共にオン状態であり、直流電圧は上下アームのアノードリアクトルLU,LXを介して短絡状態になる。このとき、直流電圧はアノードリアクトルLU,LXに印加される。この状態でさらに電流が減少すると、フリーホイールダイオードに逆電流が流れ、フリーホイールダイオードの逆電圧が回復し、
(＋)→FU→LU→GU→負荷→GZ→LZ→FZ→(−)
で表される経路で電流が流れる。
【０００７】
ＧＴＯGUがターンオンするときに、ＧＴＯGXの異常やゲート信号の異常、あるいはフリーホイールダイオードDXの異常があると、直流短絡の異常状態が継続して過電流が発生する。直流短絡時の過電流は、アノードリアクトルLU,LXにより制限されるだけであり、電流上昇率が高いため、短時間でＧＴＯの可制御電流を越えてしまう。可制御電流を越えた状況で、ＧＴＯGUのターンオフをさせると、ＧＴＯGUが健全であっても破壊してしまう。この場合、直流短絡の起こっている相のＧＴＯのターンオフ操作は行えないが、他相については直ちにターンオフ操作を行うことにより、事故の拡大を抑制できる。なお、直流短絡電流は、電流検出器IUにより電流限度値の超過を判定する。
【０００８】
あるいは、直流短絡が起これば、すべてのＧＴＯをオンさせ、各相のヒューズFUあるいはFX、FVあるいはFY、FWあるいはFZを働かせて直流短絡電流を遮断し、事故の拡大を防止している。
【０００９】
上記従来の電力変換装置では、アーム電流を計測する電流検出器は、高価なレベル検出器である。また、負荷が交流電動機の場合、一時的な負荷電流急変を許容する必要があるために、直流短絡の異常検出電流レベルを高く設定すると、異常検出に遅れが生じる。そのため、直流短絡時の過電流が可制御電流を越えてしまい、健全な半導体スイッチング素子にダメージを与えてしまう場合もある。
【特許文献１】特開平８−１１１９３０号公報
【発明の開示】
【発明が解決しようとする課題】
【００１０】
そこで、この発明の課題は、簡単な構成で直流短絡異常が起きたことを高速で検出してスイッチング素子をオフすることにより、異常事故の拡大を阻止できる電力変換装置を提供することにある。
【課題を解決するための手段】
【００１１】
上記課題を解決するため、この発明の電力変換装置は、
直流電圧の正極,負極間の直流電流経路に配置され、上記直流電流経路をオンオフするスイッチング素子と、
上記スイッチング素子によりオンオフされる上記直流電流経路に配置されたリアクトルと、
上記リアクトルに並列に接続されるか、または、上記リアクトルの両端に抵抗を介して接続されたリアクトル用環流ダイオードと、
上記スイッチング素子のオンオフを制御する制御部と、
上記リアクトル用環流ダイオードに印加される逆電圧に基づいて、上記直流電圧の正極,負極間が短絡した直流短絡異常か否かを判定する直流短絡異常判定部と
を備え、
上記制御部は、上記直流短絡異常判定部が上記直流短絡異常と判定すると、上記スイッチング素子をオフにすることを特徴とする。
【００１２】
この発明の電力変換装置は、直流電圧を交流電圧に変換するものに限らず、交流電圧を直流電圧に変換するものでもよい。また、上記スイッチング素子は、１つに限らず、複数のスイッチング素子を用いた電力変換部により直流電圧を交流電圧に変換したり交流電圧を直流電圧に変換したりするものでもよく、この場合、スイッチング素子毎にリアクトルとリアクトル用環流ダイオードを備える。
【００１３】
上記構成の電力変換装置によれば、上記制御部によりスイッチング素子のオンオフを制御することによって、直流電圧の正極,負極間の直流電流経路をオンオフする。そうして、直流電圧を交流電圧に変換するとき(または交流電圧を直流電圧に変換するとき)、スイッチング素子のオン時に、上記直流電流経路に配置されたリアクトルにより電流上昇率を抑制して、スイッチング素子を保護する。そして、上記スイッチング素子のオフ時に、リアクトルに並列に接続されたリアクトル用環流ダイオード(または、上記リアクトルの両端に抵抗を介して接続されたリアクトル用環流ダイオード)によってリアクトルによる過電圧の発生を抑制し、スイッチング素子を保護する。このような電力変換装置において、スイッチング素子等の故障により上記直流電流経路が短絡状態になると、直流電圧の正極,負極間に大電流が流れ始める。このとき、リアクトル用環流ダイオードに印加される逆電圧に基づいて、直流短絡異常判定部が、直流電圧の正極,負極間が短絡する直流短絡異常であると判定すると、制御部は、スイッチング素子をオフにする。
【００１４】
したがって、簡単な構成で直流短絡異常が起きたことを高速で検出してスイッチング素子をオフすることにより、直流短絡電流を遮断して異常事故の拡大を阻止できる。
【００１５】
また、一実施形態の電力変換装置では、
上記リアクトルと上記リアクトル用環流ダイオードは、上記スイッチング素子により電力変換を行う電力変換部に接続される上記直流電流経路に設けられた限流装置として用いられ、
上記リアクトル用環流ダイオードに逆電圧が印加される期間が所定値を越えたとき、上記直流短絡異常判定部が上記直流短絡異常と判定する。
【００１６】
上記実施形態によれば、上記スイッチング素子により電力変換を行う電力変換部に接続される上記直流電流経路に設けられた限流装置として、リアクトルとリアクトル用環流ダイオードを用いた電力変換装置において、上記直流短絡異常判定部は、リアクトル用環流ダイオードに逆電圧が印加される期間が所定値を越えたときに直流短絡異常と判定する。これにより、直流短絡電流が可制御電流を越えない時間内にスイッチング素子を遮断することによって、可制御電流の大きくないスイッチング素子を採用して、その性能を十分に活用することができる。
【００１７】
また、一実施形態の電力変換装置では、
上記リアクトルと上記リアクトル用環流ダイオードは、直列スナバ回路として用いられ、
上記リアクトル用環流ダイオードに逆電圧が印加される期間が所定値を越えたとき、上記直流短絡異常判定部が上記直流短絡異常と判定する。
【００１８】
上記実施形態によれば、上記リアクトルとリアクトル用環流ダイオードが直列スナバ回路として用いられた電力変換装置によって、上記直流短絡異常判定部は、リアクトル用環流ダイオードに逆電圧が印加される期間が所定値を越えたときに直流短絡異常と判定する。これにより、直流短絡電流が可制御電流を越えない時間内にスイッチング素子を遮断することによって、可制御電流の大きくないスイッチング素子を採用して、その性能を十分に活用することができる。
【００１９】
また、一実施形態の電力変換装置では、
上記リアクトルと上記リアクトル用環流ダイオードは、直列スナバ回路として用いられ、
上記制御部により上記スイッチング素子をオンさせる期間以外の期間において上記リアクトル用環流ダイオードに逆電圧が印加されたとき、上記直流短絡異常判定部が上記直流短絡異常と判定する。
【００２０】
上記実施形態によれば、上記制御部によりスイッチング素子をオンさせる期間以外の期間においてリアクトル用環流ダイオードに逆電圧が印加されたときに直流短絡異常判定部が直流短絡異常と判定する。これにより、逆電圧が発生したときに直ちに直流短絡異常と判定し、高速に直流短絡電流を遮断することによって、過電流による素子破壊を未然に防ぐことが可能となる。
【００２１】
また、一実施形態の電力変換装置では、
上記スイッチング素子は、少なくともＳiＣ,ＧaＮまたはダイヤモンドのうちのいずれか１つのワイドギャップ半導体を母材とするゲートターンオフサイリスタである。
【００２２】
上記実施形態によれば、少なくともＳiＣ,ＧaＮまたはダイヤモンドのうちのいずれか１つのワイドギャップ半導体を母材とするゲートターンオフサイリスタをスイッチング素子として用いることによって、Ｓiを母材とするスイッチング素子に比べて、損失が著しく少なく、かつ、高温でも動作でき、大電力を変換するのに適した電力変換装置を実現できる。なお、ＳiＣ,ＧaＮおよびダイヤモンド以外のワイドギャップ半導体を母材とするゲートターンオフサイリスタをスイッチング素子として用いてもよい。
【００２３】
また、一実施形態の電力変換装置では、
上記リアクトルと上記リアクトル用環流ダイオードは、上記スイッチング素子により電力変換を行う電力変換部に直列スナバ回路として組み込まれている。
【００２４】
上記実施形態によれば、例えば、スイッチング素子およびフリーホイールダイオードを内蔵したモジュールに、直列スナバ回路を構成するリアクトル用環流ダイオードも内蔵することにより、電力変換装置の小型化が図れ、リアクトルの環流回路のインダクタンスを低減でき、電力変換部に大きな過電圧が印加されることを防ぐことができる。さらに、直列スナバ回路のリアクトル用環流ダイオードを高抵抗にすることにより、直列スナバ回路の抵抗をなくすことができ、さらに環流回路のインダクタンスを小さくでき、電力変換部の半導体素子のスイッチングに伴う過電圧を小さくできる。
【００２５】
また、一実施形態の電力変換装置では、
複数の抵抗が直列に接続された抵抗分圧回路を備え、
上記抵抗分圧回路が上記リアクトル用環流ダイオードの両端に並列に接続され、
上記リアクトル用環流ダイオードに印加された逆電圧を上記抵抗分圧回路により分圧し、上記抵抗分圧回路により分圧された上記リアクトル用環流ダイオードに印加された逆電圧に相当する電圧に基づいて、上記直流短絡異常判定部は、上記直流短絡異常か否か判定する。
【００２６】
上記実施形態によれば、上記直流短絡異常判定部が直流短絡異常を判定するためのリアクトル用環流ダイオードに印加された逆電圧に相当する電圧を、上記抵抗分圧回路により分圧することにより得るので、この電力変換装置が扱う直流電圧が高電圧でリアクトル用環流ダイオードに生じる逆電圧が高くなっても直流短絡異常判定部で判定する電圧を扱いやすい低電圧にできる。
【００２７】
また、一実施形態の電力変換装置では、
複数のコンデンサが直列に接続されたコンデンサ分圧回路を備え、
上記コンデンサ分圧回路が上記リアクトル用環流ダイオードの両端に並列に接続され、
上記リアクトル用環流ダイオードに印加された逆電圧を上記コンデンサ分圧回路により分圧し、上記コンデンサ分圧回路により分圧された上記リアクトル用環流ダイオードに印加された逆電圧に相当する電圧に基づいて、上記直流短絡異常判定部は、上記直流短絡異常か否か判定する。
【００２８】
上記実施形態によれば、上記直流短絡異常判定部が直流短絡異常を判定するためのリアクトル用環流ダイオードに印加された逆電圧に相当する電圧を、上記コンデンサ分圧回路により分圧することにより得るので、この電力変換装置が扱う直流電圧が高電圧でリアクトル用環流ダイオードに生じる逆電圧が高くなっても直流短絡異常判定部で判定する電圧を扱いやすい低電圧にできる。
【００２９】
また、一実施形態の電力変換装置では、
抵抗とホトカプラのホトダイオード部が直列に接続された逆電圧検出回路を備え、
上記逆電圧検出回路の直列に接続された上記抵抗と上記ホトダイオード部が、上記リアクトル用環流ダイオードの両端に並列に接続され、
上記リアクトル用環流ダイオードに印加された逆電圧を上記逆電圧検出回路により検出し、上記逆電圧検出回路により検出された上記リアクトル用環流ダイオードに印加された逆電圧に相当する信号に基づいて、上記直流短絡異常判定部は、上記直流短絡異常か否かを判定する。
【００３０】
上記実施形態によれば、リアクトル用環流ダイオードの逆電圧を検出する逆電圧検出回路の出力側とリアクトル用環流ダイオードの側を絶縁することができるので、ノイズの影響を受けにくくできる。
【発明の効果】
【００３１】
以上より明らかなように、この発明の電力変換装置によれば、簡単な構成で直流短絡異常が起きたことを高速で検出してスイッチング素子をオフすることにより、異常事故の拡大を阻止できる電力変換装置を実現することができる。
【発明を実施するための最良の形態】
【００３２】
以下、この発明の電力変換装置を図示の実施の形態により詳細に説明する。
【００３３】
〔第１実施形態〕
図１はこの発明の第１実施形態の電力変換装置の構成を示す回路図である。
【００３４】
この第１実施形態の電力変換装置は、直流電圧入力端子間に接続された平滑コンデンサＣ１と、直流電圧入力端子の正極側に一端が接続されたリアクトルＬ１と、上記リアクトルＬ１の一端にカソードが接続され、リアクトルＬ１の他端にアノードが接続されたリアクトル用環流ダイオードＤ１と、上記リアクトルＬ１の他端に一方の入力端子が接続され、他方の入力端子に直流電圧入力端子の負極側が接続された電力変換部１とを備えている。上記電力変換部１は、複数のスイッチング素子１０(図１では１つのみを示す)を備え、入力された直流電圧を三相交流電圧に変換して出力する。
【００３５】
また、上記リアクトルＬ１とリアクトル用環流ダイオードＤ１で、電流を限流する働きをする限流装置２を構成している。その限流装置２は、直流から交流に電力を変換する電力変換部１の直流母線側直近に接続され、電力変換部１が直流短絡した場合にその短絡電流を抑制する働きがある。
【００３６】
上記電力変換部１のスイッチング素子１０とリアクトルＬ１は、直流電圧の正極,負極間の直流電流経路に直列に配置されている。
【００３７】
図２は上記電力変換装置の要部のブロック図を示しており、以下に、この電力変換装置の電力変換部１が直流短絡したときの検出手順を説明する。
【００３８】
電力変換部１において直流短絡が発生すると、リアクトルＬ１に並列に接続されたリアクトル用環流ダイオードＤ１に逆電圧が印加される。
【００３９】
一般の電力変換では、あるアームのスイッチング素子がターンオンし、反対アームのフリーホイールダイオードに流れている電流がスイッチング素子に転流する過程では、電流が流れているスイッチング素子と反対アームのフリーホイールダイオードが共にオン状態となるため、直流電圧は配線と限流装置に印加される。正常に電力が変換されているときには、スイッチング素子とフリーホイールダイオードが同時にオン状態である時間は、フリーホイールダイオードに流れる電流の減少時間とフリーホイールダイオードの逆回復時間の合計時間である。ところが、何らかの原因で上アームのスイッチング素子と下アームのスイッチング素子が同時にオン状態になり、直流短絡時間が上記合計時間より長くなると、時間とともに大きな直流短絡電流が流れ、スイッチング素子の可制御電流値を越え、スイッチング素子を破壊してしまう。
【００４０】
この第１実施形態の電力変換装置では、限流装置２のリアクトルＬ１に並列に接続されたリアクトル用環流ダイオードＤ１に印加される電圧を電圧検出器３で検出し、リアクトル用環流ダイオードＤ１に逆電圧が印加されている時間を逆電圧時間測定部４により計測し、規定時間を越えると逆電圧時間測定部４が直流短絡異常と判定し、制御部の一例としてのゲート制御回路５を介して全素子のゲート駆動回路６にオフゲート信号を出力し、電力変換部１のスイッチング素子１０をオフさせ、スイッチング素子１０に流れている電流を遮断する。上記電圧検出器３と逆電圧時間測定部４で直流短絡異常判定部を構成している。
【００４１】
この第１実施形態では、直流短絡時間が規定時間を超えた時点で直ちに電力変換部１のスイッチング素子１０をターンオフさせるため、事故電流を低く抑えることができる。他相の健全なスイッチング素子１０も直流短絡異常を検出した時点で直ちにターンオフさせるので、事故の波及を抑えることができる。
【００４２】
例えば、直流電圧が２.５kＶで、ピーク電流２００Ａの出力電流を出力する電力変換装置において、限流装置２の２５μＨのリアクトルＬ１を直流母線に設置した場合、直流短絡時の電流上昇率di／dtは、電力変換部１に限流要素がない場合、最大で、
２.５kＶ／２５μＨ＝１００Ａ／μs
となる。従来の電流検出による方法では、過電流検出に約３μs必要であるので、しきい値電流を３００Ａとすると、アーム短絡時の最大遮断電流は、
３００Ａ＋１００Ａ／μs×３μs＝６００Ａ
が必要となる。
【００４３】
一方、この第１実施形態の電力変換装置では、図２のように直流短絡の判定は限流装置２のリアクトル用環流ダイオードＤ１の逆電圧時間で判定されるので、直流短絡電流が大きくならないうちに健全なスイッチング素子１０で電流を遮断できるので、健全なスイッチング素子１０にダメージを与えない他、他相の健全なスイッチング素子１０をターンオフさせることで事故の拡大を抑制でき、回路を損傷させずに済む。
【００４４】
また、前記と同様の電圧電流条件で、フリーホイールダイオードのリカバリー時間が１μsのとき、電流減少率は１００Ａ／μsであるので、正常な直流短絡時間は３μsとなる。３μsより長い時間、環流ダイオードに電圧が印加されていると直流短絡事故と判定する。そのため、スイッチング素子１０の可制御電流は３００Ａ(＝１００Ａ／μs×３μs)より少し大きい程度であればよい。すなわち、この発明の直流短絡保護方式を用いた場合、従来の電流検出方式の場合の約１／２程度の可制御電流のスイッチング素子１０でよく、電力変換装置を安価にできる。
【００４５】
また、電力変換部１のスイッチング素子１０のターンオン期間以外で逆電圧が印加されたかどうかを監視することにより、逆電圧が発生したときに直ちに直流短絡異常と判定し、高速に直流短絡電流を遮断することによって、過電流による素子破壊を未然に防ぐことが可能となる。
【００４６】
〔第２実施形態〕
図３はこの発明の第２実施形態の電力変換装置の直列スナバ回路の回路図を示している。この第２実施形態の電力変換装置は、第１実施形態の図２に示す構成と同一の構成を有し、図２を援用する。また、この第２実施形態の電力変換装置の電力変換部は、図６に示すインバータ装置と同一の構成をしている。
【００４７】
この第２実施形態の電力変換装置の直列スナバ回路は、電力変換を行うスイッチング素子であるＧＴＯ(Gate Turn-off Thyristor；ゲート・ターンオフ・サイリスタ)に直列に接続され、ＧＴＯがターンオンするときの電流上昇率を臨界電流上昇率以下に抑える働きをし、図６の従来例のようにリアクトルに、抵抗とリアクトル用環流ダイオードの直列体が並列接続された構成である。
【００４８】
この第２実施形態の電力変換装置では、リアクトルＬ２と、そのリアクトルＬ２の正極側に一端が接続された抵抗ＲSと、抵抗ＲSの他端にカソードが接続され、アノードがリアクトルＬ２の負極側に接続されたリアクトル用環流ダイオードＤSとを有する直列スナバ回路を備えている。また、電力変換装置は、２つの抵抗Ｒ0,Ｒ1が直列に接続された抵抗分圧回路１３を、リアクトル用環流ダイオードＤSに並列に接続している。なお、上記抵抗分圧回路１３は、３個以上の抵抗を直列に接続したものでもよい。
【００４９】
上記スイッチング素子であるＧＴＯとリアクトルＬ２は、直流電圧の正極,負極間の直流電流経路に直列に配置されている。
【００５０】
この構成の抵抗分圧回路１３により、リアクトル用環流ダイオードＤSに印加される電圧を分圧した電圧を得ることができる。
【００５１】
直流電圧２.５kＶの条件で、
ＲS＝１Ω
Ｒ0＝１００kΩ
Ｒ1＝１kΩ
とし、リアクトルＬ２に電圧が印加されたとき、すなわち直流短絡のとき、
２５００Ｖ×１kΩ／(０.００１＋１００＋１)kΩ＝２４.８Ｖ
の電圧が抵抗Ｒ1の端子間に発生する。一方、リアクトル用環流ダイオードＤSがオンのときは、
オン電圧×１kΩ／(０.００１＋１００＋１)kΩ
となり、リアクトル用環流ダイオードＤSのオン電圧を３Ｖとすると、抵抗Ｒ1の端子間電圧は０.０３Ｖとなる。すなわち、リアクトルＬ２に電圧が印加されたときのみ、抵抗Ｒ1の両端に比較的大きな電圧が発生することになる。電力変換の動作において、直列スナバ回路１２のリアクトル用環流ダイオードＤSに逆電圧が印加されるのは、直流短絡となった場合のみであるので、その電圧印加時間が直流短絡時間に相当し、この時間を電圧検出器３と逆電圧時間測定部４を用いて計測することにより、第１実施形態と同様に直流短絡事故電流を大きくせずに、健全なスイッチング素子で事故電流を遮断することが可能となる。
【００５２】
したがって、電力変換装置の事故時の素子破壊が最小限にすむ。また、抵抗Ｒ1の電圧印加時間を判定する回路をゲート駆動回路に設けることにより、電力変換装置の小型、低コスト化を図ることが可能となる。
【００５３】
また、スイッチング素子およびフリーホイールダイオードを内蔵したモジュールに、直列スナバ回路のリアクトル用環流ダイオードも内蔵することにより、電力変換装置の小型化が図れ、アノードリアクトル環流回路のインダクタンスを低減でき、電力変換部に大きな過電圧が印加されることを防ぐことができる。さらに、直列スナバ回路のリアクトル用環流ダイオードを高抵抗にすることにより、直列スナバ回路の抵抗をなくすことができ、さらに環流回路のインダクタンスを小さくでき、電力変換部の半導体素子のスイッチングに伴う過電圧を小さくできる。
【００５４】
また、ＧＴＯのターンオン期間以外で逆電圧が印加されたかどうかを監視することにより、逆電圧が発生したときに直ちに直流短絡異常と判定する直流短絡異常判定部を設けることにより、高速に短絡電流を遮断することが可能であり、過電流による素子破壊を未然に防ぐことが可能である。
【００５５】
〔第３実施形態〕
図４はこの発明の第３実施形態の電力変換装置の直列スナバ回路の回路図を示している。この第３実施形態の電力変換装置は、コンデンサ分圧回路１４を除いて第２実施形態の電力変換装置と同一の構成をしている。
【００５６】
上記第２実施形態では、直列スナバ回路のリアクトル用環流ダイオードＤSに、２つの抵抗Ｒ０,Ｒ１が直列に接続された抵抗分圧回路１３を並列に接続したが、この第３実施形態では、抵抗の代わりに２つのコンデンサＣ0,Ｃ1が直列に接続されたコンデンサ分圧回路１４を用いている。なお、このコンデンサ分圧回路１４は、コンデンサを３つ以上直列に接続したものでもよい。
【００５７】
この第３実施形態においては、リアクトル用環流ダイオードＤSの逆電圧を２つ以上のコンデンサにより分圧し、コンデンサＣ1の端子間電圧として検出し、制御に用いる。
【００５８】
第２実施形態と同様に、リアクトル用環流ダイオードＤSの逆電圧印加時間を判定することにより、直流短絡異常時の短絡電流を大きくせずに、健全なスイッチング素子で短絡電流を遮断することが可能となる。また、ダイオード逆電圧印加時間判定回路をゲート駆動回路に設けることにより、電力変換装置の小型化、低コスト化を図ることが可能となる。
【００５９】
〔第４実施形態〕
図５はこの発明の第４実施形態の電力変換装置の直列スナバ回路の回路図を示している。この第４実施形態の電力変換装置は、電圧検出器がないのと逆電圧検出回路を除いて第２実施形態の電力変換装置と同一の構成をしている。
【００６０】
上記第２実施形態では、直列スナバ回路のリアクトル用環流ダイオードＤSに、２つの抵抗Ｒ０,Ｒ１が直列に接続された抵抗分圧回路１３を並列に接続したが、この第４実施形態では、抵抗ＲPとホトカプラ１６のホトダイオード部１６aが直列に接続された逆電圧検出回路１５を、リアクトル用環流ダイオードＤSに並列に接続している。
【００６１】
これにより、第２,第３実施形態と同様の効果があるのはもちろんのこと、リアクトル用環流ダイオードＤSの逆電圧を検出する逆電圧検出回路１５の出力側と直列スナバ回路１２を絶縁することができるので、ノイズの影響を受けにくくできる。
【００６２】
以上、４つの第１〜第４実施形態を説明したが、この発明はさらに多くの適用範囲あるいは派生構造をカバーするものである。例えば、この発明の電力変換装置は、リアクトルに並列に接続されたリアクトル用環流ダイオードの逆電圧を検出し、その逆電圧時間に基づいて直流短絡異常か否かを判定するものであり、リアクトル用環流ダイオードの逆電圧を検出する検出部を設けた回路はこの発明の範囲である。
【００６３】
また、上記第１〜第４実施形態では、電力変換部のスイッチング素子としてＧＴＯを用いた素子の場合のみを述べたが、リアクトルを有する限流回路や直列スナバ回路を用いる電力変換装置にこの発明は適用可能であり、スイッチング素子は、シリコン、ＳiＣ、ガリウムヒ素、ガリウムナイトライドやダイヤモンド等の他の半導体材料を用いた素子にも適用できる。特に、ＳiＣ,ＧaＮまたはダイヤモンドのうちのいずれか１つのワイドギャップ半導体を母材とするスイッチング素子(ＧＴＯなど)に用いた場合は、Ｓiを母材とするスイッチング素子に比べて、損失が著しく少なく、かつ、高温でも動作でき、大電力を変換するのに適した電力変換装置を実現することができる。
【００６４】
上記第１〜第４実施形態の説明から明らかなように、この発明の電力変換装置の保護方式では、次の(1)〜(4)の効果が見込まれる。
【００６５】
(1)  直流短絡異常時に高速に健全なスイッチング素子で短絡電流を遮断するので、短絡電流が小さく、健全素子や回路に支障を与えない。さらに、可制御電流の小さなスイッチング素子を用いることができるので、小型で安価にできる。
【００６６】
(2)  直流短絡異常を高速に、どの相で直流短絡異常が起きたかを安価に早く検出できる。また、直流短絡異常が起こっていない他相の健全なスイッチング素子をターンオフさせることで事故の拡大を抑制できる。
【００６７】
(3)  電力変換部のスイッチング素子のターンオン期間以外で逆電圧が印加されたかどうかを監視することにより、逆電圧が発生したときに直ちに直流短絡異常と判定する直流短絡異常判定部を設けることにより、高速に短絡電流を遮断することが可能であり、過電流による素子破壊を未然に防ぐことが可能である。
【００６８】
(4)  電力変換部のスイッチング素子とフリーホイールダイオードを内蔵したモジュールに直列スナバ回路のリアクトル用環流ダイオードを内蔵することにより、電力変換装置の小型化を図れ、アノードリアクトル環流回路のインダクタンスを低減でき、電力変換部の半導体素子に大きな過電圧が印加されることを防ぐことができる。さらに、直列スナバ回路のリアクトル用環流ダイオードを高抵抗にすることにより、直列スナバ回路の抵抗をなくすことができ、さらに環流回路のインダクタンスを小さくでき、電力変換部の半導体スイッチング素子のスイッチングに伴う過電圧を小さくできる。
【００６９】
上記実施の形態では、直流電圧を交流電圧に変換する電力変換装置について説明したが、交流電圧を直流電圧に変換する電力変換装置にこの発明を適用してもよい。
【図面の簡単な説明】
【００７０】
【図１】図１はこの発明の第１実施形態の電力変換装置の構成を示す回路図である。
【図２】図２は上記電力変換装置の要部のブロック図である。
【図３】図３はこの発明の第２実施形態の電力変換装置の直列スナバ回路の回路図である。
【図４】図４はこの発明の第３実施形態の電力変換装置の直列スナバ回路の回路図である。
【図５】図５はこの発明の第４実施形態の電力変換装置の直列スナバ回路の回路図である。
【図６】図６は従来の電力変換装置としてのインバータ装置の回路図である。
【符号の説明】
【００７１】
１…電力変換部
２…限流装置
３…電圧検出器
４…逆電圧時間測定部
５…ゲート制御回路
６…ゲート駆動回路
１０…スイッチング素子
１２…直列スナバ回路
１３…抵抗分圧回路
１４…コンデンサ分圧回路
１５…逆電圧検出回路
１６…ホトカプラ
【図１】
2009011117.tif 000003
【図２】
2009011117.tif 000004
【図３】
2009011117.tif 000005
【図４】
2009011117.tif 000006
【図５】
2009011117.tif 000007
【図６】
2009011117.tif 000008